(57)【要約】      （修正有）【課題】厳密な位置合わせをすることなく容易に且つ確実に行えるとともに、取り付け後でも給湯装置の取付け位置の微調整を可能とする給湯装置の取付構造を提供する。【解決手段】壁面Ｗに取り付けられる壁面取付部１１を有する第１金具１と、器具本体３の背面に取り付けられる器具取付部２３を有する第２金具２を備え、壁面取付部１１には、給湯装置の重量を吊り下げ支持する支持部１２が壁面Ｗら離隔する方向に延設され、器具取付部２３には、支持部１２に上方から係合する係合部が器具本体３から離隔する方向に延設され、支持部１２の横長さは、係合部を水平方向に摺動可能な長さに設定されている。【選択図】図２
2018031531.tif 000002
【特許請求の範囲】
【請求項１】
給湯装置を金具により壁面等の取付面に固定する給湯装置の取付構造であって、
取付面に取り付けられる第１金具と、給湯装置の背面に取り付けられる第２金具を備え、
第１金具は、取付面に取り付けられる壁面取付部と、壁面取付部に対して取付面から離隔する方向に延設され且つ第２金具と係合して給湯装置の重量を吊り下げ支持する支持部とを備えており、
第２金具は、給湯装置の背面に取り付けられる器具取付部と、器具取付部に給湯装置から離隔する方向に延設され、第１金具の支持部に上方から係合する係合部とを備えており、
第１金具の支持部の横長さは、第２金具の係合部を水平方向に摺動可能な長さに設定されている給湯装置の取付構造。
【請求項２】
請求項１に記載の給湯装置の取付構造において、
第２金具は、器具取付部において係合部よりも上部に、前記器具取付部に対して給湯装置から離隔する方向に延設された延設部をさらに備えており、
延設部は、給湯装置から離隔する方向に斜め上方に向かって延設された第１延設片と、  第１延設片から取付面に平行に給湯装置の上方へ立ち上がる第２延設片とを備え、
第２延設片には、壁面固定用の孔部が設けられており、
第１金具の支持部と第２金具の係合部とが係合状態にあるとき、第２延設片の取付面側の面と第１金具の取付面側の面が同一平面上に位置するように設定されている給湯装置の取付構造。
【請求項３】
請求項１又は２に記載の給湯装置の取付構造において、
第２金具の係合部は、給湯装置の背面から離隔する方向に斜め下方に向かって延設される係合片を備えている給湯装置の取付構造。
【請求項４】
請求項１〜３のいずれか１項に記載の給湯装置の取付構造において、
第２金具の係合部の先端部には両端を除いた範囲に斜めに切り込まれた切り込み部が設けられている給湯装置の取付構造。
【請求項５】
請求項４に記載の給湯装置の取付構造において、
切り込み部は、Ｍ字形に形成されている給湯装置の取付構造。
【発明の詳細な説明】
【技術分野】
【０００１】
本発明は、給湯装置を壁面等に取り付けるための給湯装置の取付構造に関する。
【背景技術】
【０００２】
従来、給湯装置を壁面に固定する取付構造として、例えば、特許文献１及び特許文献２には、給湯装置の背面上部に金具を取り付け、その金具を壁面にビス固定する構造が開示されている。この取付構造では、壁面に予め仮固定用のビスを打ち付け、その仮固定用ビスに給湯装置に取り付けた金具の引っ掛け孔を掛けて仮止めした状態で金具をビス固定するようにしている。特許文献３には、略コの字型の横長の第１の金具を壁面に固定し、その第１の金具に、給湯装置の背面に設けた略八の字型の横長の第２の金具を横方向からスライドさせながら差し入れて給湯装置を壁設置する構造が開示されている。特許文献４には、給湯装置の背面上部に下方に延びるブラケット部を有する金具を取り付け、この金具のブラケット部を壁面に固定した表側金属プレートの挿入スペースに上から挿入して給湯装置を壁に取り付ける構造が開示されている。
【先行技術文献】
【特許文献】
【０００３】
【特許文献１】特開２００２−３１０５１２号公報
【特許文献２】特開平９−３０３８８３号公報
【特許文献３】特開２００３−２７９１６２号公報
【特許文献４】特開２００５−１４７５２９号公報
【発明の概要】
【発明が解決しようとする課題】
【０００４】
特許文献１及び特許文献２に開示する取付構造では、給湯装置を設置する壁の強度が弱い場合又は壁がない場合は、例えば柱間に給湯装置を設置するための壁となる木板等を設ける必要があり、手間のかかる作業となってしまう。また、仮固定用ビスと金具の引っ掛け孔とは１点固定となり厳密な位置合わせが必要であり、また、仮固定用ビスと金具の引っ掛け孔が給湯装置の背面側に位置し目視し難く仮固定すらままならい。特許文献３や特許文献４に開示する取付構造でも、給湯装置側の金具と壁面側の金具との挿入位置の位置合わせが必要であり、各金具が給湯装置の背面側に位置し目視し難いものであった。このように給湯装置の取付け位置を厳密に位置合わせする必要がある上、その位置が目視し難く、しかも給湯装置は大きく重量があるため給湯装置の取り付け作業が困難であり、この作業を一人で行うには作業者にとって大きな負担であった。また、これらの特許文献１〜４のものでは、給湯装置の取り付け位置が確定されてしまうため、取り付け後に給湯装置の位置の微調整ができなかった。
【０００５】
また、特許文献３のものでは、給湯装置の取り付け時に給湯装置を横方向へスライドさせる必要があるため、給湯装置の設置場所が他の壁面から奥まって位置する場合や、給湯装置の設置場所の両側に障害物が存在している場合等では、この取付構造を採用することができなかった。さらに、特許文献４のものでは、取り付け作業時に給湯装置側のブラケット部が壁側の表側金属プレートの挿入スペースに嵌まり込まず表側金属プレートの上端に載った中途半端な状態となり、その状態に気付かず見過ごされるおそれがあった。
本発明は、上記問題に鑑みてなされたものであり、給湯装置の取り付けを厳密な位置合わせをすることなく容易に且つ確実に行えるとともに、取り付け後でも給湯装置の取付け位置の微調整を可能とする給湯装置の取付構造を提供することを目的とする。
【課題を解決するための手段】
【０００６】
上記課題を解決するために講じた本発明の解決手段は、
給湯装置を金具により壁面等の取付面に固定する給湯装置の取付構造であって、
取付面に取り付けられる第１金具と、給湯装置の背面に取り付けられる第２金具を備え、
第１金具は、取付面に取り付けられる壁面取付部と、壁面取付部に対して取付面から離隔する方向に延設され且つ第２金具と係合して給湯装置の重量を吊り下げ支持する支持部とを備えており、
第２金具は、給湯装置の背面に取り付けられる器具取付部と、器具取付部に給湯装置から離隔する方向に延設され、第１金具の支持部に上方から係合する係合部とを備えており、
第１金具の支持部の横長さは、第２金具の係合部を水平方向に摺動可能な長さに設定されていることである。
【０００７】
上記構成によれば、給湯装置を壁面（取付面）に設置する取り付け作業時に、第１、第２金具の位置が目視できなくても、壁面に取り付けられている第１金具よりも上方に、第２金具が位置するように、給湯装置を持ち上げた後、壁面に沿って降下させるだけで、給湯装置から突出するように設けられている第２金具の係合部を、壁面から突出して設けられている第１金具における支持部に上方から係合させることができる。これにより、厳密な位置合わせをすることなく、給湯装置を容易に且つ確実に壁面に取り付けることができ、作業者が一人でも給湯装置の取り付け作業を簡単に行うことができる。
また、支持部の横長さは、係合部が水平方向に摺動可能な長さに設定されているから、給湯装置の取り付け後でも、第２金具を第１金具に係合させた状態で給湯装置を水平方向に移動することができる。これにより、給湯装置を壁面に取り付けた後でも、壁面に対して給湯装置の設置位置を水平方向に微調整することができる。
さらに、第１金具の支持部が壁面から離隔する方向に延設され、第２金具の係合部が給湯装置から離隔する方向に延設されているので、給湯装置を壁面に接近させて給湯装置の背面が支持部に当接することにより支持部と係合部の前後位置が規定される。これにより、第２金具を第１金具に引っ掛ける際に、第２金具の係合部が第１金具の支持部の上端に載った中途半端な係合状態とならず、係合部と支持部とを確実に係合状態とすることができる。
【０００８】
上記給湯装置の取付構造において、好ましくは、
第２金具は、器具取付部において係合部よりも上部に、前記器具取付部に対して給湯装置から離隔する方向に延設された延設部をさらに備えており、
延設部は、給湯装置から離隔する方向に斜め上方に向かって延設された第１延設片と、第１延設片から取付面に平行に給湯装置の上方へ立ち上がる第２延設片とを備え、
第２延設片には、壁面固定用の孔部が設けられており、
第１金具の支持部と第２金具の係合部とが係合状態にあるとき、第２延設片の取付面側の面と第１金具の取付面側の面が同一平面上に位置するように設定されていることである。
【０００９】
係合部を支持部に係合しただけでは、給湯装置の横方向の位置が固定されないが、第２延長片の壁面固定用の孔部により壁面にビス固定することにより、第２金具の位置は固定され、給湯装置の横方向の位置が固定される。この際、第２金具の係合部が第１金具の支持部に係合しているので、第２延長片を壁面にビス固定した場合に、給湯装置に取り付けた器具取付部のビスに引き抜かれるようなテンションが加わるおそれがあるが、第２延長片と壁面取付部とが同一平面上に位置するように設定されているから、第２延長片を壁面にビス固定した場合でも、器具取付部のビスにテンションが加わらず、給湯装置に対する第２金具の取り付け状態を良好に保持することができる。
また、第２金具は、係合部の先端よりも第１、第２延設部が壁面側へ突出している。
このため、給湯装置を持ち上げて第２金具の係合部を、壁面に取り付けられている第１金具の支持部に係合させる際に、誤って第１延設部の下面が支持部の上端に当接した状態で係合完了と勘違いしてしまうおそれがあるが、第１延長部は、器具取付部の上端から斜め上方へ向かって延設されているから、傾斜面となった第１延設部が支持部の上端に係合状態に保持されることはなく、作業者に取付けミスであることを容易に認識させることができる。
【００１０】
上記給湯装置の取付構造において、好ましくは、
第２金具の係合部は、給湯装置の背面から離隔する方向に斜め下方に向かって延設される係合片を備えている。
これにより、第１金具の支持部に第２金具の係合部を係合させる際、給湯装置を壁面に近づけるように、係合片が支持部に嵌っていくので、第２金具を第１金具に引っ掛ける前後方向の位置決めが容易となり、給湯装置と壁面との距離を一定にした設置が可能となる。
【００１１】
上記給湯装置の取付構造において、好ましくは、
第２金具の係合部の先端部には両端を除いた範囲に斜めに切り込まれた切り込み部が設けられている。
これにより、第２金具を第１金具に引っ掛ける際、第２金具の係合部が第１金具の支持部の上端に載った中途半端な状態となった場合は切り込み部により給湯装置が斜めに傾いた状態になる。従って、作業者が取付けミスであることを容易に認識することができ、正しい取付け状態を確保することができる。また、取付けミスの状態のときは係合部の先端部の両端が支持部の上端に引っ掛かるので、給湯装置が不意に落下することもない。
【００１２】
上記給湯装置の取付構造において、好ましくは、前記切り込み部は、Ｍ字形に形成されている。
この場合、給湯装置が取付けミスの状態となるときは、切り込み部においてＭ字を構成する斜辺部分が支持部の上端に必ず斜めに当接されるので、作業者が取付けミスであることを容易に認識することができる。また、Ｍ字の両側が支持部の上端に引っ掛かって給湯装置の落下を防止することができる。
【発明の効果】
【００１３】
本発明によれば、上記構成の第１金具と第２金具とにより、厳密な位置合わせをすることなく給湯装置を容易に且つ確実に壁面等の取付面に設置することができ、作業者が一人でも給湯装置の取り付け作業を簡単に行うことができる。また、第１金具の支持部の横長さは、第２金具の係合部が水平方向に摺動可能な大きさに設定されているので、給湯装置を取付面に取り付けた後でも、取付面に対して給湯装置の固定位置を水平方向に微調整することができる。さらに、第２金具を第１金具に引っ掛ける際に、第１金具と第２金具の前後位置が規定されるので、第２金具の係合部が第１金具の支持部の上端に載った中途半端な状態とならず係合部が支持部と確実に係合状態となるように設置することができる。
【図面の簡単な説明】
【００１４】
【図１】本発明の実施の形態の給湯装置としての器具本体と、第１、第２金具を示す分解斜視図である。
【図２】本発明の実施の形態の給湯装置の取付構造の第１、第２金具の分解斜視図である。
【図３】本発明の実施の形態の給湯装置の取付構造の器具本体を壁面に取り付けた様子を示す要部拡大断面図である。
【図４】本発明の実施の形態の給湯装置の取付構造の取付ミスの一例を示す説明図である。
【発明を実施するための形態】
【００１５】
本発明の実施の形態について、図面に基づいて説明する。
図１は、本発明実施の形態の給湯装置の器具本体(3)と、取付面としての住宅の壁面(W)に取り付けられる第１金具(1)と、器具本体(3)の背面に取り付けられる第２金具(2)とを示す分解斜視図であり、図２は、第１、第２金具(1)(2)の分解拡大斜視図であり、図３は、壁面(W)に、第１、第２金具(1)(2)を介して、壁掛け状態に固定させた様子を示す要部拡大断面図である。
なお、以下では、壁面(W)からみて給湯装置側を前方、給湯装置からみて壁面(W)側を後方、器具本体(3)の左右方向を横方向とする。
【００１６】
まず、壁面(W)にネジ止めされる第１金具(1)について説明する。
第１金具(1)は、図１に示すように、給湯装置の器具本体(3)の横長さに略一致する長さ（約４５０ｍｍ）を有する横長帯状体であって、図２に示すように、複数の貫通孔(14)を有し、これら貫通孔(14)を通して、図３に示すように、アンカーボルト(40)で壁面(W)の所定位置に水平に取り付けられる壁面取付部(11)と、壁面取付部(11)の下端辺から前方へ延設されると共に上方に向いた延設端(12a)を有する断面略Ｌ字状の支持部(12)とを備えている。
壁面取付部(11)と支持部(12)とで左右方向に延びる上方開放の水平溝(10)が形成され、この水平溝(10)内に、第２金具(2)が横方向（水平方向）に摺動可能な状態で係合される。
また、壁面取付部(11)の左右両端には、前方へ延びるストッパー(13)(13)が突設されている。この左右のストッパー(13)(13)により、第２金具(2)が、水平溝(10)の左右両端から脱落することを防止している。
なお、第１金具(1)全体の強度は、支持部(12)で、器具本体(3)の重量を支持可能な程度に設定されている。
【００１７】
次に、第２金具(2)について説明する。
第２金具(2)は、器具本体(3)の背面にネジ止めされて取り付けられる器具取付部(23)と、器具取付部(23)の下端辺から後方へまっすぐ水平に延設される水平部(20b)が形成されると共にこの水平部(20b)の後端から折れ曲がって斜め下後方へ向かって延設される係合片(20)と、器具取付部(23)の上端辺から斜め上後方へ延設される第１延設部(21)と、第１延設部(21)の上端辺からさらに上方へ垂直に延設される第２延設部(22)と、から構成されている。なお、水平部(20b)と係合片(20)とで、発明特定事項としての係合部が構成されるものとし、また、器具取付部(23)と第２延設部(22)とは平行に位置するように設定されている。
第２金具(2)の両端近傍の、第１延設部(21)から第２延設部(22)に至る範囲には、補強のために凸部(26)(26)が形成されている。また、第２金具(2)の中央よりの二箇所における第１延設部(21)から器具取付部(23)を介して係合片(20)に至る範囲には、同じく補強のために、凸部(26)とは逆方向に突出させて凹部(27)(27)を形成している。
また、器具取付部(23)の中央部分と左右両端近傍部分の３か所に、取付ネジ(4)を挿通させるためのネジ挿通孔(23a)が形成されており、これらのネジ挿通孔(23a)に対応する器具本体(3)の背面上端近傍には、取付ネジ(4)が螺合されるネジ孔(30)が形成されている。
【００１８】
なお、第２金具(2)の横長さは、第１金具(1)のそれよりも短く、約１５０ｍｍ程度に設定されており、第２延設部(22)の中央には、図２に示すように、小径孔の下方に大径孔を連続させた形状のだるま孔(22a)が形成されていると共に、左右両端近傍には、ネジ挿通孔(22b)が形成されている。
また、係合片(20)の下端縁は、略М字状に切り込まれた切込み部(20a)が形成されている。
【００１９】
これら第１、第２金具(1)(2)を用いて、器具本体(3)を所定の壁面(W)に壁掛け状に固定するには、まず、第１金具(1)を壁面(W)に、第２金具(2)を器具本体(3)に取り付ける。
器具本体(3)の背面上端部近傍に設けたネジ孔(30)に第２金具(2)のネジ挿通孔(23a)が対応するように、器具取付部(23)を器具本体(3)の背面に添設させ、ネジ挿通孔(23a)に挿通させた取付ネジ(4)をネジ孔(30)に螺合させる。これにより、第２金具(2)は器具本体(3)の背面に取り付けられる。なお、第２金具(2)は、給湯装置の製造時に器具本体(3)の背面に取り付けられていても良い。
他方、壁面(W)の器具取付位置に、第１金具(3)が、その長さ方向が水平に位置するように、壁面取付部(11)を、複数の貫通孔(14)を通して、複数のアンカーボルト(40)で固定する。
これにより、器具本体(3)の背面には、第２金具(2)の第１、第２延設部(21)(22)と係合片(20)が、器具本体(1)から離隔して後方に突出し、壁面(W)には、第１金具(1)の支持部(12)が壁面(W)から離隔して前方に突出する態様となる。
【００２０】
そして、器具本体(3)に取り付けた第２金具(2)の係合片(20)の略Ｍ字状の切り込み部(20a)が、壁面(W)に取り付けられた第１金具(1)の支持部(12)の延設端(12a)よりも上方に位置するように、器具本体(3)を持ち上げ、その状態を維持しながら、器具本体(3)を壁面(W)側へ近付けて、係合片(20)の切り込み部(20a)を水平溝(10)の上方に位置させる。
このとき、係合片(20)や支持部(12)は目視できないが、おおよその見当をつけて器具本体(3)を持ち上げて壁面(W)側へ移動させ、第２金具(2)の第２延設部(22)が、第１金具(1)の上方にて、壁面(W)に当接した時点で、あるいは、器具本体(3)の背面が第１金具(1)の支持部(12)の前面に当接した状態で、器具本体(3)を壁面(W)に沿って降下させると、係合片(20)は、支持部(12)の水平溝(10)に嵌った状態で、水平部(20b)を延設端(12a)に係合させることができる。
【００２１】
第２延設部(22)を壁面(W)に当接させる前に、係合片(20)の傾斜面(20c)を支持部(12)の延設端(12a)に当接させて摺動させると、器具本体(3)は、前後に移動可能となる。また、第２金具(2)の横長さは、第１金具(1)よりも短く設定されているから、第２金具(2)は、支持部(12)の延設端(12a)に対して左右に摺動可能となる。
よって、器具本体(3)の位置を前後左右に調整することができ、壁面(W)上の所定位置に器具本体(3)を位置決めした状態で、第２金具(2)の第２延設部(22)の中央に設けられているだるま孔(22a)を介して、位置決めネジ(41)を壁面(W)に捻じ込めば、器具本体(3)は位置決め状態に取り付けられる。
【００２２】
その後、第２延設部(22)の両端近傍に設けたネジ挿通孔(22b)を利用して、他のボルト（図示せず）で壁面(W)に固定すれば、第２金具(2)は、第１金具(1)の支持部(12)の延設端(12a)に、係合片(20)の水平部(20b)を係合させた状態で、壁面(W)の所望の位置に確実に且つ強固に固定することができる。なお、だるま孔(22a)を利用せず、ネジ挿通孔(22b)だけで固定しても良い。
【００２３】
なお、係合片(20)が支持部(12)の延設端(12a)に正しく係合された状態にあるとき、第２延設部(22)の背面は、壁面取付部(11)の背面と同一平面に位置するように設定しておくことにより、第２延設部(22)を位置決めネジ(41)や他のボルトで壁面(W)に固定する際に、器具取付部(23)が無理に後方に引っ張られることがない。すなわち、取付ネジ(4)に後方へ脱落させる方向の力が作用することないから、安定した状態で器具本体(3)を壁面(W)に固定することができる。
また、壁面(W)に取り付けられる第２延設部(22)と、器具本体(3)に取り付けられる器具取付部(23)とは平行に位置するように設定されているから、正しい取付状態にて、器具本体(3)は壁面(W)に対して平行に位置するように取り付けることが出来る。
【００２４】
このように、器具本体(3)に取り付けた第２金具(2)の係合片(20)を、壁面(W)に固定させた第１金具(1)の支持部(12)に上から係合させるだけで、器具本体(3)を壁面(W)に仮固定することができるから、器具本体(3)の壁面への固定作業を、一人でも容易に且つ確実に行うことができる。
係合片(20)を水平溝(10)内に差し込んだ状態で、第２金具(2)を支持部(12)の延設端(12a)上にて、左右に摺動させて位置調整する際に、第２金具(2)を左右に摺動させ過ぎても、第１金具(1)の両端には、ストッパ(13)が設けられているから、第２金具(2)が第１金具(1)から不用意に落下する不都合はない。
【００２５】
器具本体(3)に取り付けた第２金具(2)を、壁面(W)に取り付けた第１金具(1)に係合させる際に、器具本体(3)の持ち上げ高さ不足により、図４に示すように、係合片(20)よりも後方へ張り出している第１延設部(21)の延長端が、支持部(12)の延設端(12a)に当接させてしまうことがある。
この場合では、第１延設部(21)は、上後方へ延長する傾斜面によって形成されているから、器具本体(3)を第１金具(1)に対してまっすぐに配設することが出来ない上に、傾斜面である第１延設部(21)が支持部(12)の延設端(12a)に係止された状態が維持されることはなく、ずり落ちてしまう。よって、作業者は、第２金具(2)の第１金具(1)への取り付けミスを容易に認識することができ、間違った係合状態のまま、器具本体(3)が壁面(W)に取り付けられることはない。
【００２６】
また、係合片(20)の切り込み部(20a)は略Ｍ字状に形成されているから、係合片(20)の両端以外は斜辺(24)で形成されている。よって、誤って、支持部(12)の延設端(12a)に、係合片(20)の切り込み部(20a)を係止させてしまっても、斜辺(24)で係止されることとなるから、器具本体(3)は歪んだ状態で係止される。よって、この場合でも、作業者は取付ミスを容易に認識することができる。なお、略Ｍ字の斜辺(24)で引っ掛かった状態で、器具本体(3)から手が離れることがあっても、略Ｍ字の両端(25)が支持部(12)の延設端(12a)に係合するから、器具本体(3)を落下させる危険はない。
【００２７】
なお、上記実施の形態における第１金具(1)の支持部(12)の形状は、第１金具(1)の壁面取付部(11)の下端から前方に突出する断面略Ｌ字状体としたが、上方開放の水平溝(10)が形成できれば、断面略Ｖ字状に突出する構成としても良く、さらに、支持部(12)を壁面取付部(11)から直接上前方へ突出させて、壁面取付部(11)と合わせて上方開放の断面略Ｖ字状となる構成としても良い。また、支持部(12)の突出位置も、壁面取付部(11)の下端に限定されることはなく、壁面取付部(11)の中央部や上端から前方や前方斜め上方向に突出する形状としても良い。
【００２８】
第２金具(2)の形状も、図２の形状に限定されることはなく、係合部は、器具取付部(23)の中央部から後方へ突出させても良く、また、そのの断面形状も略逆Ｌ字状や逆Ｖ字状とすることも可能である。
さらに、切り込み部(20a)の形状も、略Ｍ字形に限定されることはなく、斜辺(24)を有する形状であれば他の形状に切り込むことも可能である。
【符号の説明】
【００２９】
(1) ・・・・・・・第１金具
(10)・・・・・・・水平溝
(11)・・・・・・・壁面取付部
(12)・・・・・・・支持部
(2) ・・・・・・・第２金具
(20)・・・・・・・係合片
(23)・・・・・・・器具取付部
(3) ・・・・・・・器具本体
(W) ・・・・・・・壁面（取付面）
【図１】
2018031531.tif 000003
【図２】
2018031531.tif 000004
【図３】
2018031531.tif 000005
【図４】
2018031531.tif 000006